(57)【特許請求の範囲】
【請求項１】
第一端および第二端を備えるハウジングであり、ベース部分と、前記第一端から前記第二端まで延伸し、互いに対向する第一および第二側壁とを有するハウジング、
前記ハウジング中に設置され、それぞれ、前記第一側壁から前記第二側壁に延伸するとともに、互いに隔てられて、複数のパーティションロウを定義する第一の複数のパーティション、
前記ハウジング中に設置され、それぞれ、互いに隔てられるとともに、前記第一の複数のパーティションのそれぞれと交差するように設置されて、複数のコンパートメントを、複数のパーティションロウのそれぞれ中で定義する第二の複数のパーティション、および、
前記第一側壁または前記第二側壁のひとつに沿って、前記ハウジング内に設置される少なくとも一つの第一側壁ダクト、を有し、前記第一側壁ダクトは、前記第一端または前記第二端において外部環境に通じる開口部が形成されており、
前記第一の複数のパーティションは、それぞれ、前記複数のコンパートメントのそれぞれに関連する少なくとも一つの第一換気孔を有し、 
前記第二の複数のパーティションのそれぞれは、前記複数のパーティションロウを通過する少なくとも一つのパーティションダクト、および、前記少なくとも一つのパーティションダクトを、前記複数のコンパートメントの関連する一つに接続する少なくとも一つの第二換気孔を有し、
前記一つの第二換気孔は、前記第二端に接近して前記第二の複数のパーティションのそれぞれに設置されることを特徴とする装置。
【請求項２】
前記少なくとも一つの第一側壁ダクトは、前記ハウジングの一部分から、前記第一端に向けて、前記複数のパーティションロウを越えて、前記複数のパーティションロウの内部に接続することを特徴とする請求項１に記載の装置。
【請求項３】
前記第一側壁または前記第二側壁のひとつに沿って、前記ハウジング中に設置される少なくとも一つの第二側壁ダクトを有し、
前記少なくとも一つの第二側壁ダクトは、前記ハウジングの一部分から、第二端に向けて、前記複数のパーティションロウを越えて前記第二端、そして、前記複数のパーティションロウの内部に接続することを特徴とする請求項２に記載の装置。
【請求項４】
前記複数のコンパートメントは、それぞれ、温度センサーを有することを特徴とする請求項１に記載の装置。 
【請求項５】
プロセッサ、および、コンピュータにより読み込み可能であり、指令を記録する媒体を備え、
前記プロセッサによる実行によって、装置が処理する工程は、
前記複数のコンパートメントのひとつの測定温度が限界温度を超えると判断する工程、および、
前記少なくとも一つの第二換気孔を開放して、対応する前記コンパートメント中に位置する部品を冷却する工程、
を有することを特徴とする請求項４に記載の装置。
【請求項６】
前記ベース部分は、複数のインターフェースを有する回路板を有して、複数のストレージデバイスをサポートすることを特徴とする請求項１に記載の装置。
【発明の詳細な説明】
【技術分野】
【０００１】
本出願は、２０１６年５月３日に出願された米国仮出願第６２／３３１，１７４号の優先権を主張するものであり、参照によりその全体が本願に組み込まれる。 
【０００２】
本発明は、サーバシステムの冷却に関するものである。
【背景技術】
【０００３】
メッセーシング、ビデオ／イメージおよび電子メールに関連するネットワークトラフィックが、近年、爆発的に発展している。ネットワークトラフィックをサポートするため、ネットワークシステムのクラウドベースのストレージに対する要求が急激に増加している。ストレージ要求に対する一方策は、さらに多くのハードディスクドライブ(ＨＤＤ)を追加することであり、よって、システム中のＨＤＤ密度を増加させている。 
【０００４】
しかし、高密度ＨＤＤのシステムを冷却することは困難である。高密度ＨＤＤのシステムを冷却するため、システム中に追加の冷却ファンが必要である。しかし、追加の冷却ファンはシステムの電力消耗を増加させる。大量のサーバ、および／または、ストレージシステムのデータセンサーにおいて、追加の冷却ファンは、部品と電力に関して、コストが相当増加する。さらに、追加の冷却ファンにより生じる振動は、システム中のＨＤＤパフォーマンスを減少させる。
【発明の概要】
【発明が解決しようとする課題】
【０００５】
本発明は、ダウンストリームコンポーネンツに新鮮な空気を送る冷却システムを提供して、上述の問題を解決することを目的とする。
【課題を解決するための手段】
【０００６】
本発明の各種実施形態によるシステム、および、方法は、新鮮な空気をシステムのダウンストリームコンポーネントに供給することにより、上述の問題を解決する方策を提供する。システムは、第一端および第二端を有するハウジング、ハウジング中に設置される第一の複数のパーティション、および、ハウジング中に設置される第二の複数のパーティションを有する。ハウジングは、ベース部分、および、第一端から第二端まで延伸する第一および第二側壁を有する。第一の複数のパーティションは、それぞれ、第一側壁から第二側壁に延伸し、且つ、互いに隔てられて、複数のパーティションロウを定義する。第二の複数のパーティションは、それぞれ、互いに隔てられるとともに、第一の複数のパーティションのそれぞれと交差するように設置されて、複数のパーティションロウのそれぞれ中で、複数のコンパートメントを定義する。第一の複数のパーティションは、それぞれ、複数のコンパートメントのそれぞれに関連する少なくとも一つの第一換気孔を有する。第二の複数のパーティションは、少なくとも一つのパーティションダクトと少なくとも一つの第二換気孔を有する。少なくとも一つのパーティションダクトは複数のパーティションロウを通過し、少なくとも一つの第二換気孔は少なくとも一つのパーティションダクトを複数のコンパートメントの関連する１つに接続する。第二の複数のパーティションのそれぞれに設置される少なくとも一つの第二換気孔は、第二端（ハウジングの後部）に接近する。
【０００７】
いくつかの実施形態において、システムは、第一側壁、あるいは、第二側壁のひとつに沿って、ハウジング中に設置される少なくとも一つの第一側壁ダクトを有する。少なくとも一つの第一側壁ダクトは、ハウジングの一部分から、第一端に向けて、複数のロウを越えて、複数のロウの内部に接続する。いくつかの実施形態において、システムは、さらに、第一側壁、あるいは、第二側壁のひとつに沿って、ハウジング中に設置される少なくとも一つの第二側壁ダクトを有する。少なくとも一つの第二側壁ダクトは、ハウジングの一部分から、第二端に向けて、複数のロウを越えて、複数のロウの内部に接続する。
【０００８】
いくつかの実施形態において、少なくとも一つの第一側壁ダクト、および、少なくとも一つの第二側壁ダクトは、それぞれ、対応する側壁ダクトを、複数のコンパートメントの関連する１つに接続する少なくとも一つの第三換気孔を有する。少なくとも一つの第三換気孔は第二端に面する。
【０００９】
いくつかの実施形態において、システムのベース部分は、複数のストレージデバイスをサポートする回路板を有する。回路板は、シリアルアタッチドＳＣＳＩ(ＳＡＳ)インターフェース、シリアルＡＴＡ(ＳＡＴＡ)インターフェースまたは周辺機器相互接続エクスプレス(ＰＣＩｅ)インターフェースを有する少なくとも一種のインターフェースを有する。ＳＡＳインターフェース、あるいは、ＳＡＴＡインターフェースはＨＤＤをサポートする。ＰＣＩｅインターフェースは半導体ドライブ(ＳＳＤ)をサポートする。システムは、さらに、少なくとも一つのＳＡＳ ＨＤＤ、ＳＡＴＡ ＨＤＤ、あるいは、ＳＳＤを含む複数のストレージデバイスを有する。
【００１０】
いくつかの実施形態において、複数の第二換気孔の少なくとも一つが開閉する。複数のコンパートメントは、それぞれ、温度センサーを有する。複数のコンパートメントの一つの測定温度が限界温度を超過すると判断したのに対応して、システムは、少なくとも一つのパーティションダクトの対応する第二換気孔を開放して、対応するコンパートメントに位置する部品を冷却する。 
【００１１】
いくつかの実施形態において、複数の第三換気孔の少なくとも一つが開閉する。複数のコンパートメントのひとつの測定温度が限界温度を超えたと判断するのに対応して、システムは、少なくとも一つの第一側壁ダクト、あるいは、少なくとも一つの第二側壁ダクトの対応する第三換気孔を開放して、対応するコンパートメントに位置する部品を冷却する。
【発明の効果】
【００１２】
本発明により、ＨＤＤパフォーマンスが向上する。
【図面の簡単な説明】
【００１３】
【図１Ａ】本発明の実施形態によるストレージサブシステムおよびサーバシステムを含むシステムのブロック図である。
【図１Ｂ】本発明の実施形態による新鮮な空気を、システムのダウンストリームコンポーネントに提供するシステムのブロック図である。
【図１Ｃ】本発明の実施形態による新鮮な空気を、システムのダウンストリームコンポーネントに提供するシステムのブロック図である。
【図１Ｄ】本発明の実施形態による新鮮な空気を、システムのダウンストリームコンポーネントに提供するシステムのブロック図である。
【図１Ｅ】本発明の実施形態による新鮮な空気を、システムのダウンストリームコンポーネントに提供するシステムのブロック図である。
【図１Ｆ】本発明の実施形態による新鮮な空気を、システムのダウンストリームコンポーネントに提供するシステムのブロック図である。
【図１Ｇ】本発明の実施形態による新鮮な空気を、システムのダウンストリームコンポーネントに提供するシステムのブロック図である。
【図２】本発明の実施形態による新鮮な空気を、システムのダウンストリームコンポーネントに提供する方法を示す図である。
【図３】本発明の各種実施形態による例示的コンピューティングデバイスを示す図である。
【図４】本発明の各種実施形態によるシステムを示す図である。
【図５】本発明の各種実施形態によるシステムを示す図である。
【発明を実施するための形態】
【００１４】
本発明の各種実施形態は、新鮮な空気を、システムのダウンストリームコンポーネントに供給するシステム、および、方法を提供する。システムは、第一端および第二端を有するハウジング、ハウジング中に設置される第一の複数のパーティション、および、ハウジング中に設置される第二の複数のパーティションを有する。ハウジングは、ベース部分、および、第一端から第二端に延伸し、互いに対向する第一および第二側壁を有する。第一の複数のパーティションは、複数のコンパートメントとそれぞれ関連する少なくとも一つの第一換気孔をそれぞれ有する。第二の複数のパーティションは、少なくとも一つのパーティションダクトと少なくとも一つの第二換気孔を有する。パーティションダクトは複数のパーティションロウ（partition rows）を通過している。第二換気孔は、少なくとも一つのパーティションダクトを、複数のコンパートメントの関連する一つに接続する。少なくとも一つの第二換気孔は第二端（ハウジングの後部）に接近する。
【００１５】
図１Ａは、本発明の実施形態によるストレージサブシステム１０２およびサーバシステム１０１を含むシステム１００Ａのブロック図である。この実施形態において、サーバシステム１０１は、キャッシュ１７２に接続される少なくとも一つのマイクロプロセッサまたはプロセッサ１７３、一つ以上の冷却素子１６２、メインメモリ(ＭＥＭ)１８０、電源１４０からＡＣ電力を受けるとともに、電力をサーバシステム１０１に供給する少なくとも一つの電源ユニット(ＰＳＵ)１４１を有する。ストレージサブシステム１０２は、電源１４０からＡＣ電力を受けるとともに、電力をストレージサブシステム１０２に供給する一つ以上のＰＳＵ１４２、少なくとも一つの拡張器(拡張器１９１、１９２)、一つ以上の冷却素子１６３、および、複数のストレージデバイス(たとえば、１９１１、１９１２、１９２１、および、１９２２)を有する。ストレージデバイスは、少なくとも一つのＳＣＳＩ(ＳＡＳ)ディスク、シリアルＡＴＡ(ＳＡＴＡ)ディスクまたは半導体ドライブ(ＳＳＤ)を有する。ストレージデバイスは、独立したストレージデバイスであるか、または、ＲＡＩＤ(Redundant Array of Independent Disks)で配置される。少なくとも一つの拡張器は、それぞれ、ストレージサブシステム１０２の一つ以上のストレージデバイスを管理する(たとえば、コマンドを受信するとともに、それらを対応するストレージデバイスに設定する(routing))とともに、ネットワークにより、リモート装置、管理モジュールおよびストレージサブシステム１０２のその他の拡張器と通信する。コマンドは、読み書きコマンド、情報要求や制御コマンド(たとえば、ゾーン分けコマンド)を有する。コマンドはテキスト、スモールコンピュータシステムインターフェース(ＳＣＳＩ)、ＡＴアタッチメント(ＡＴＡ)またはシリアルＡＴＡ(ＳＡＴＡ)のフォーマットである。この実施形態において、拡張器１９１は、ストレージデバイス１９１１および１９１２を管理し、拡張器１９２は、ストレージデバイス１９２１および１９２２を管理する。
【００１６】
この実施形態において、少なくとも一つの拡張器(たとえば、拡張器１９１と１９２)は、さらに、一つ以上のアダプタカード１９０とストレージサブシステム１０２間にコマンドラインインターフェース(ＣＬＩ)を提供する。一つ以上のアダプタカード１９０またはリモートユーザーは、ＣＬＩによりコマンドを入力する。ＣＬＩは、これに限定されないが、デジタルコマンドランゲージ(ＤＣＬ)、各種 Unix シェル、マイクロコンピュータ(ＣＰ／Ｍ)の制御プログラム、command.com, cmd.exeおよびリソースタイムシェアリングシステム(ＲＳＴＳ)ＣＬＩを有する。  
【００１７】
いくつかの実施形態において、ストレージサブシステム１０２の拡張器は、接続冗長によって、ストレージサブシステム１０２中の複数のストレージデバイスと接続されて、失効した通信リンク(たとえば、失効したケーブルやポート、あるいは、アクシデント的に抜かれる接続)を保護する。いくつかの実施形態において、ストレージサブシステム１０２、および、サーバシステム１０１は、単一ラック、または、異なるサーバラックに設置される。  
【００１８】
少なくとも一つのＰＳＵ１４１が設置されて、サーバシステム１０１の各種部品、たとえば、プロセッサ１７３、キャッシュ１７２、ＮＢロジック１７６、ＰＣＩｅスロット１６０、メモリ１８０、ＳＢロジック１４６、ストレージデバイス１４８、ＩＳＡスロット１５０、ＰＣＩスロット１７０、コントローラ１１０、および、一つ以上の冷却素子１６２に電力を供給する。 電源がオンになった後、サーバシステム１０１は、メモリ、コンピュータストレージデバイスまたは外部ストレージデバイスから、ソフトウェアアプリケーションをロードして、各種操作を実行する。ハードドライブ１４８が論理ブロックに構造化され、論理ブロックは、サーバシステム１０１のオペレーティングシステムとアプリケーションに用いることができ、且つ、サーバシステム１０１がオフになっても、サーバデータを保留するように設定される。
【００１９】
いくつかの実施形態において、一つ以上の冷却素子１６２は、空冷素子、液冷素子またはそれらの組み合わせである。いくつかの実施形態において、一つ以上の冷却素子１６２は、サーバシステム１０１の前側、および／または後ろ側に位置する複数のファンを有する。
【００２０】
メインメモリ１８０は、ノースブリッジ(ＮＢ)ロジック１７６によりプロセッサ１７３に結合される。メモリコントロールモジュール(図示しない)は、メモリ操作期間中に、必要な制御信号をアサートすることにより、メモリ１８０の操作を制御するのに用いられる。メインメモリ１８０は、これに限定されないが、ダイナミックランダムアクセスメモリ(ＤＲＡＭ)、ダブルデータレートＤＲＡＭ(ＤＤＲ ＤＲＡＭ)、スタティックＲＡＭ(ＳＲＡＭ)または適切なその他のタイプのメモリを有する。
【００２１】
いくつかの実施形態において、プロセッサ１７３はマルチコアプロセッサであり、それぞれ、ＮＢロジック１７６に接続されるＣＰＵバスにより互いに結合される。いくつかの実施形態において、ＮＢロジック１７６はプロセッサ１７３に統合される。ＮＢロジック１７６は、さらに、複数の周辺機器相互接続エクスプレス(ＰＣＩｅ)スロット１６０およびサウスブリッジ(ＳＢ)ロジック１４６に接続される。複数のＰＣＩｅ スロット１６０は、接続とバス、たとえば、ＰＣＩエクスプレス x１、ＵＳＢ２.０、ＳＭＢｕｓ、ＳＩＭカード、別のＰＣＩｅレーンの未来の拡張、１．５Ｖと３．３Ｖの電力、および、サーバのシャーシ上の診断的ＬＥＤのワイヤに用いられる。
【００２２】
この実施形態において、ＮＢロジック１７６、および、ＳＢロジック１４６は、周辺機器相互接続(ＰＣＩ)バス１５４により接続される。ＰＣＩバス１５４は、ＣＰＵ１１０上の機能をサポートするが、任意のＣＰＵのネイティブバスから独立した標準化フォーマットである。ＰＣＩバス１５４は、さらに、複数のＰＣＩスロット１７０(たとえば、ＰＣＩスロット１７１)に接続される。ＰＣＩバス１５４に接続される装置は、ＣＰＵバスに直接接続され、プロセッサ１７３のアドレス空間中のアドレスを割り当てるとともに、単一バスクロックに同期化されるバスコントローラ(図示しない)に現れる。ＰＣＩカードは、複数のＰＣＩスロット１７０中で用いられ、これに限定されないが、ネットワークインターフェースカード(ＮＩＣｓ)、音声カード、ＴＶチューナーカード、ディスクコントローラ、ビデオカード、スモールコンピュータシステムインターフェース(ＳＣＳＩ)アダプタおよびパーソナルコンピュータメモリカード国際協会(ＰＣＭＣＩＡ)カードを有する。
【００２３】
ＳＢロジック１４６は、拡張バスにより、ＰＣＩバス１５４を、複数の拡張カードまたはスロット１５０(たとえば、ＩＳＡスロット１５２)に結合する。拡張バスは、ＳＢロジック１４６と周辺装置間の通信に用いられるバスであり、これに限定されないが、業界標準アーキテクチャ(ＩＳＡ)バス、ＰＣ／１０４バス、低ピンカウントバス、拡張ＩＳＡ(ＥＩＳＡ)バス、ユニバーサルシリアルバス(ＵＳＢ)、ＩＤＥ(integrated drive electronics)バスまたは周辺装置のデータ通信に用いるその他の任意の適切なバスを有する。  
【００２４】
この実施形態において、ＳＢロジック１４６は、さらに、少なくとも一つのＰＳＵ１４１に接続されるコントローラ１１０に結合される。いくつかの実施形態において、コントローラ１１０は、基板管理コントローラ(ＢＭＣ)、ラック管理コントローラ(ＲＭＣ)、あるいは、その他の任意の適切なシステムコントローラである。コントローラ１１０は、少なくとも一つのＰＳＵ１４１の操作および／またはその他の適切な操作を制御する。いくつかの実施形態において、コントローラ１１０は、処理要求およびサーバシステム１０１の素子および／または接続状態を監視するように設定される。
【００２５】
この実施形態において、コントローラ１１０は、ケーブル、あるいは、無線接続(たとえば、Ｉ２Ｃ、ＳＭＢＵｓまたはＰＣＩｅ)により、ストレージサブシステム１０２の少なくとも一つの拡張器(たとえば、拡張器１９１と１９２)に接続される。いくつかの実施形態において、コントローラ１１０が、ストレージサブシステム１０２の一つ以上の冷却素子１６３に結合されるとともに、一つ以上の冷却素子１６３の操作を管理する。いくつかの実施形態において、ストレージサブシステム１０２は、分離コントローラ(図示しない)を有して、一つ以上の冷却素子１６３の操作を管理する。
【００２６】
図１Ｂは、本発明の実施形態による新鮮な空気をシステム１００Ｂのダウンストリームコンポーネントに提供するシステム１００Ｂのブロック図である。この実施形態において、システム１００Ｂは、前部および後部を有するハウジング１０３、ハウジング１０３中に設置される第一の複数のパーティション１８８、および、ハウジング１０３中に設置される第二の複数のパーティション１８５を有する。ハウジング１０３は、ベース部分１８１、前部から後部から延伸し、互いに対向する第一および第二側壁１８７と１８９を有する。第一の複数のパーティション１８８は、それぞれ、第一側壁１８９から第二側壁１８７に延伸するとともに、互いに隔てられて、複数のパーティションロウを定義する。第二の複数のパーティション１８５は、それぞれ、互いに隔てられるとともに、第一の複数のパーティション１８８とそれぞれ交差するように設置されて、複数のコンパートメント１８４を、複数のパーティションロウのそれぞれ中で定義する。第一の複数のパーティション１８８はそれぞれ、複数のコンパートメント１８４のそれぞれと関連する少なくとも一つの第一換気孔１８６を有する。図１Ｃに示されるように、少なくとも一つの第二の複数のパーティション１８５は、少なくとも一つのパーティションダクト１８５１、および、少なくとも一つの第二換気孔１８５２を有し、パーティションダクト１８５１は、複数のパーティションロウから延伸し、図１Ｃと図１Ｄに示されるように、第二換気孔１８５２は、少なくとも一つのパーティションダクト１８５１を、複数のコンパートメント１８４の関連する１つに接続する。いくつかの実施形態において、少なくとも一つの第二換気孔１８５２は、第二端（ハウジング１０３の後部）に接近する。
【００２７】
いくつかの実施形態において、システム１００Ｂは、第一側壁１８９に沿って、ハウジング１０３中に設置される少なくとも一つの第一側壁ダクト(たとえば、１８９１)を有する。少なくとも一つの第一側壁ダクト１８９１は、ハウジング１０３の一部分の前部から、複数のロウを越えて、複数のロウの内部を接続する。図１Ｇに示されるように、いくつかの実施形態において、システムは、さらに、第二側壁１８７に沿って、ハウジング１０３中に設置される少なくとも一つの第二側壁ダクト１８７１を有する。少なくとも一つの第二側壁ダクト１８７１は、ハウジング１０３の一部分から、複数のロウを越えて後部、そして、複数のロウの内部を接続する。
【００２８】
いくつかの実施形態において、複数の第二換気孔１８５２の少なくとも一つが開閉する。複数のコンパートメント１８４は、それぞれ、温度センサー(図示しない)を有する。複数のコンパートメント１８４の一つの測定温度が限界温度を超えると判断したのに対応して、システム１００Ｂは、少なくとも一つのパーティションダクト１８５１の対応する第二換気孔１８５２を開放して、対応するコンパートメント１８４中に位置する部品を冷却する。
【００２９】
図１Ｅは、本発明の実施形態による新鮮な空気を、システム１００Ｅのダウンストリームコンポーネントに提供するシステム１００Ｅのブロック図である。この実施形態において、システム１００Ｅのベース部分１８１は、複数のインターフェース１８２を含む回路板１８３を有する。複数のインターフェース１８２は、少なくとも複数のストレージデバイス(図示しない)をサポートする。第二の複数のパーティション１８５は、それぞれ、ハウジング１０３の前部から、ハウジング１０３の後部に延伸する。第二の複数のパーティション１８５の少なくとも一つは、少なくとも一つのパーティションダクト１８５１と少なくとも一つの第二換気孔１８５２とを有する。少なくとも一つのパーティションダクト１８５１は複数のパーティションロウから延伸し、少なくとも一つの第二換気孔１８５２は、少なくとも一つのパーティションダクト１８５１を、複数のコンパートメントの関連する一つに接続する。
【００３０】
いくつかの実施形態において、複数のインターフェース１８２は、ＳＡＳインターフェース、ＳＡＴＡインターフェース、あるいは、ＰＣＩｅインターフェースを有する少なくとも一種のインターフェースを有する。ＳＡＳ インターフェースまたはＳＡＴＡインターフェースはＨＤＤをサポートする。ＰＣＩｅインターフェースはＳＳＤをサポートする。システム１００Ｅは、さらに、少なくともＳＡＳ ＨＤＤ、ＳＡＴＡ ＨＤＤまたはＳＳＤを含む複数のストレージデバイスを有する。
【００３１】
いくつかの実施形態において、複数の第二換気孔１８５２の少なくとも一つが開閉する。複数のコンパートメント１８４は、それぞれ、温度センサーを有する。複数のコンパートメント１８４の一つの測定温度が限界温度を超えたと判断したのに対応して、システム１００Ｅは、少なくとも一つのパーティションダクト１８５１の対応する第二換気孔１８５２を開放して、対応するコンパートメント１８４中に位置する部品を冷却する。  
【００３２】
図１Ａ〜図１Ｇ中のシステム１００Ａ〜１００Ｇの例において、ある素子だけが示されているが、ぞれぞれ、データを処理、あるいは、保存、信号を送受信、あるいは、新鮮な空気をダウンストリームコンポーネントに提供することができる各種電子またはコンピューティング部品も、システム１００Ａ〜１００Ｇ中に含まれる。さらに、システム１００Ａ〜１００Ｇ中の電子またはコンピューティング部品は、各種タイプのアプリケーションを実行するおよび／または各種タイプのオペレーティングシステムを用いることができる。  これらのオペレーティングシステムは、これに限定されないが、Android、ＢＳＤ(Berkeley Software Distribution)、iPhone（登録商標） OS (iOS)、Linux（登録商標）、OS X、ユニックス系リアルタイムオペレーティングシステム (たとえば、QNX)、Microsoft Windows、Window PhoneおよびIBM z/OSを有する。
【００３３】
システム１００Ａ〜１００Ｇの所望の実施に基づいて、各種ネットワーキングおよびメッセーシングプロトコルが用いられ、これに限定されないが、ＴＣＰ／ＩＰ、開放型システム間相互接続(ＯＳＩ)、ファイル転送プロトコル(ＦＴＰ)、ユニバーサルプラグアンドプレイ(ＵｐｎＰ)、ネットワークファイルシステム(ＮＦＳ)、コモンインターネットファイルシステム(ＣＩＦＳ)、AppleTalk 等を有する。当業者なら理解できるように、図１Ａ〜図１Ｇに示されるシステム１００Ａ〜１００Ｇは説明のために用いられる。よって、ネットワークシステムは、適当な時に、多くの変化によって実現されるが、本発明の各種実施形態に基づいて、ネットワークプラットフォームの配置を提供する。 
【００３４】
図１Ａ〜図１Ｇの配置において、システム１００Ａ〜１００Ｇは、さらに、一つ以上のワイヤレス素子を有し、操作可能な方式で、特定のワイヤレスチャネルの計算範囲内の一つ以上の電子デバイスと通信する。ワイヤレスチャネルは、装置を無線で通信させることができる任意の適切なチャネル、たとえば、ブルートゥース（登録商標）、セルラー、ＮＦＣまたはＷｉ-Ｆｉチャネルである。理解できることは、装置は、当技術分野でさらに周知の一つ以上の従来の有線通信接続を有することである。各種その他の素子および／または組み合わせは、各種実施形態の範囲内にあることが可能である。
【００３５】
図２は、本発明の実施形態による新鮮な空気をダウンストリームコンポーネントに提供する方法２００を示す図である。理解できることは、方法２００は説明目的として表され、且つ、本発明のその他の方法に基づいて、類似または代替の順序、あるいは、並行時に、実行される追加の、いくつかのまたは代替の工程を有してもよい。工程２０２において、方法２００は、システムのハウジングを配置することから開始される。ハウジングは、ベース部分、および、ハウジングの第一端からハウジングの第二端に延伸し、互いに対向する第一および第二側壁を有する(たとえば、図１Ｂ〜図１Ｇに示される)。いくつかの実施形態において、ベース部分は、複数のインターフェースを有する回路板を有する。複数のインターフェースは、少なくともＳＡＳ ＨＤＤ、ＳＡＴＡ ＨＤＤまたはＳＳＤをサポートする。
【００３６】
工程２０４において、第一の複数のパーティションが、ハウジング中に設置される。第一の複数のパーティションは、それぞれ、第一側壁から第二側壁に延伸するとともに、互いに隔てられて、複数のパーティションロウを定義する。ハウジングのいくつかの実施形態が、図１Ｂ〜図１Ｇに示される。  
【００３７】
工程２０６において、第二の複数のパーティションがハウジング中に設置される。図１Ｂ〜図１Ｇに示されるように、第二の複数のパーティションは、それぞれ、互いに隔てられるとともに、第一の複数のパーティションのそれぞれと交差するように設置されて、複数のロウのそれぞれで、複数のコンパートメントを定義する。
【００３８】
工程２０８において、図１Ｂ〜図１Ｇに示されるように、システムは、各第一の複数のパーティションに、複数のコンパートメントのそれぞれに関連する少なくとも一つの換気孔を有させる。
【００３９】
工程２１０において、図１Ｂ〜図１Ｇに示されるように、システムは、各第二の複数のパーティションに、少なくとも一つのパーティションダクトと少なくとも一つの第二換気孔とを有するように構成される。少なくとも一つのパーティションダクトは複数のパーティションロウを通過する。少なくとも一つの第二換気孔は、少なくとも一つのパーティションダクトを、複数のコンパートメントの関連する一つに接続する。
【００４０】
コンピュータネットワークは、地理的に分布するノードの集合であり、これらのノードは、通信リンクとセグメントにより相互接続されて、エンドポイント、たとえば、パーソナルコンピュータとワークステーション間でデータを伝送する。ローカルエリアネットワーク(ＬＡＮｓ)と広域ネットワーク(ＷＡＮｓ)からオーバーレイとソフトウェア-定義ネットワーク、たとえば、仮想拡張 ローカルエリアネットワーク(ＶＸＬＡＮｓ)の範囲内の各種タイプのネットワーが可用である。 
【００４１】
ＬＡＮｓは、通常、同じ地理位置にある専用のプライベート通信リンク、たとえば、ビルやキャンパス等により、ノードに接続する。一方、ＷＡＮｓは、通常、長距離の通信リンク、たとえば、コモンキャリア電話線、光学光路、同期型光ネットワーク(ＳＯＮＥＴ)や同期デジタル階層 (ＳＤＨ)リンクにより、地理的に分散したノードを接続する。ＬＡＮｓとＷＡＮｓは、第２層(Ｌ２)および／または第３層(Ｌ３)ネットワークと装置を有する。 
【００４２】
インターネットは、世界中の異種のネットワークを接続するＷＡＮの例であり、各種ネットワークのノード間のグローバル通信を提供する。ノードは、通常、所定プロトコル、たとえば、通信制御プロトコル／インターネットプロトコル(ＴＣＰ/ＩＰ)にしたがって、データの離散フレームやパケットを交換することにより、ネットワークを通じて通信する。ここで、プロトコルは、どのように、ノードを互いに作用させるかを定義する一組のルールを参照する。コンピュータネットワークは、さらに、中間ネットワークノード、たとえば、ルーターにより相互接続されて、各ネットワークの有効 "サイズ" を拡張する。
【００４３】
オーバーレイネットワークは、通常、仮想ネットワークが、物理ネットワークインフラにより、創造および分層できるようにする。オーバレイネットワークプロトコル、たとえば、仮想拡張ＬＡＮ(ＶＸＬＡＮ)、一般ルーティングのカプセル化 (ＮＶＧＲＥ)を用いたネットワーク仮想化、ネットワーク仮想化 オーバーレイ(ＮＶ０３)およびステートレストランスポートトンネリング(ＳＴＴ)は、ネットワークトラフィックに、論理トンネルにより、Ｌ２とＬ３ネットワークを跨いで搭載できるようにするトラフィックカプセル化スキームを提供する。このような論理トンネルは、仮想トンネルエンドポイント (VTEPs)により起源および終了する。  
【００４４】
さらに、オーバーレイネットワークは、仮想セグメント、たとえば、ＶＸＬＡＮオーバーレイネットワーク中のＶＸＬＡＮセグメントを有し、仮想セグメントは、仮想Ｌ２および／またはＬ３オーバーレイネットワークを有し、ＶＭは、仮想Ｌ２および／またはＬ３オーバーレイネットワークにより通信する。仮想セグメントは、仮想ネットワーク識別子(ＶＮＩ)、たとえば、ＶＸＬＡＮネットワーク識別子により識別され、ネットワーク識別子は、明確に、関連する仮想セグメントやドメインを識別する。
【００４５】
ネットワーク仮想化は、ハードウェアとソフトウェアリソースが、仮想ネットワークで結合できるようにする。たとえば、ネットワーク仮想化は、各自仮想ＬＡＮｓ(ＶＬＡＮｓ)により、複数のＶＭが物理ネットワークに取り付けられるようにする。ＶＭｓは、それらの各自ＶＬＡＮにしたがってグループ化されるとともに、別のＶＭｓまたは内部または外部ネットワーク上のその他の装置と通信することができる。  
【００４６】
ネットワークセグメント、たとえば、物理または仮想セグメント、ネットワーク、デバイス、ポート、物理または論理リンクおよび／またはトラフィックは、通常、ブリッジ、あるいは、フラッドドメインにグループ化される。ブリッジドメイン、あるいは、フラッドドメインは、ブロードキャストドメイン、たとえば、Ｌ２ブロードキャストドメインを表す。ブリッジドメイン、あるいは、フラッドドメインは、単一サブネットを有しても、複数のサブネットを有してもよい。さらに、ブリッジドメインは、ネットワーク装置上のブリッジドメインインターフェース、たとえば、スイッチに関連する。ブリッジドメインインターフェースは、Ｌ２ブリッジネットワークとＬ３ルートネットワーク間のトラフィックをサポートする論理インターフェースである。このほか、ブリッジドメインインターフェースは、インターネットプロトコル(ＩＰ)終端、ＶＰＮ終端、アドレス解像処理、ＭＡＣアドレッシング等をサポートすることができる。ブリッジドメイン、および、ブリッジドメインインターフェースは、ともに、同じインデックスか識別子により識別される。
【００４７】
さらに、エンドポイント群 (ＥＰＧｓ)がネットワークに用いられて、アプリケーションをネットワークにマッピングする。特に、ＥＰＧｓは、ネットワーク中のアプリケーションエンドポイントのグルーピングを用いて、接続とポリシーをアプリケーションの群に供給する。ＥＰＧｓは、アプリケーションのバケットや集合の一コンテナ、または、アプリケーションコンポーネントとして作用し、且つ、発送とポリシーロジックを実行する層に用いる。ＥＰＧｓは、論理アプリケーション境界を使用しないことにより、同様に、ネットワークポリシー、セキュリティおよびアドレッシングからの発送の分離使用を可能にする。 
【００４８】
クラウドコンピューティングが、一つ以上のネットワーク中に提供されて、共有リソースを用いてコンピューティングサービスを提供する。クラウドコンピューティングは、通常、コンピューティングリソースを、動的にプロビジョニングするとともに、ネットワーク(たとえば、クラウド）を介して、利用可能なリソースの集合からオンデマンドでクライアントコンピュータまたはユーザーコンピュータまたはその他の装置に割り当てられるインターネットベースのコンピューティングを含む。を介して、クラウドコンピューティングリソースは、たとえば、コンピューティング、ストレージ、および、ネットワーク装置、仮想マシン(ＶＭ)等の任意のタイプのリソースを有することができる。たとえば、リソースは、サービス装置(ファイヤウオール、ディープパケットインスペクタ、トラフィックモニター、ロードバランサ−等)、計算／処理装置(サーバ、ＣＰＵ、メモリ、ブルートフォース処理機能)、ストレージデバイス(たとえば、ネットワーク付加ストレージ、ストレージ領域ネットワーク装置)等を有することができる。このほか、このようなリソースが用いられて、仮想ネットワーク、仮想マシン(ＶＭ)、データベース、アプリケーション(Apps)等をサポートする。
【００４９】
クラウドコンピューティングリソースは、「プライベートクラウド」、 「パブリッククラウド」、および／あるいは、「ハイブリッドクラウド」を有する。「ハイブリッドクラウド」は、技術を介して相互運用(inter-operate)、あるいは、連携(federate)する二個以上のクラウドから構成されるクラウドインフラストラクチャーである。本質的に、ハイブリッドクラウドは、プライベートとパブリッククラウド間の相互作用であり、プライベートクラウドは、安全、且つ、スケーラブル方式で、パブリッククラウドに加入するとともに、パブリッククラウドリソースを利用する。クラウドコンピューティングリソースは、さらに、ＶＸＬＡＮ等のオーバーレイネットワーク中の仮想ネットワークを介して、プロビジョニングすることができる。
【００５０】
ネットワークスイッチシステムにおいて、ルックアップデータベースは、スイッチシステムに取り付けられる複数のエンドポイント間のルートのトラックの保持が維持される。しかし、エンドポイントは、各種配置を有するとともに、いくつかのテナントと関連する。これらのエンドポイントは、各種タイプの識別子、たとえば、ＩＰｖ４、ＩＰｖ６または第二２層(Layer-2)を有する。ルックアップデータベースは、異なるモードで設定されて、異なるタイプのエンドポイント識別子を処理しなければならない。ルックアップデータベースのある能力が開拓されて、異なるアドレスタイプの着信パケットを処理する。さらに、ネットワークスイッチシステム上のルックアップデータベースは、通常、１Ｋ仮想ルーティングおよび発送 (ＶＲＦｓ)により制限される。これにより、各種タイプのエンドポイント識別子を処理する改善されたルックアップアルゴリズムが必要である。開示される技術は、この領域の電気通信ネットワーク中のルックアップに対する要求を満たす。開示されるシステム、方法およびコンピュータ-可読ストレージ媒体は、エンドポイント識別子を均一な空間にマッピングする、および、異なる形式のルックアップが均一に処理されるようにすることにより、各種タイプのエンドポイント識別子を統一する。図３と図４に示されるように、例のシステムとネットワークの簡単な説明が記述される。これらの変化は、ここでは、各種例として記述される。まずは図３を参照する。
【００５１】
図３は、本発明を実行するのに適するコンピューティングデバイス３００を示す図である。コンピューティングデバイス３００は、マスター中央処理装置(ＣＰＵ)３６２、インターフェース３６８、および、バス３１５(たとえば、ＰＣＩバス)を有する。適するソフトウェア、あるいは、ファームウェアの制御下で起動するとき、ＣＰＵ３６２は、パケット管理、エラー検出、および／あるいは、ルーティング機能、たとえば、配線ミス検出機能の実行を担う。ＣＰＵ３６２は、好ましくは、オペレーティングシステム、および、任意の適当なアプリケーションソフトウェアを有するソフトウェアの制御下で、これらの全機能を完成する。ＣＰＵ３６２は、一つ以上のプロセッサ３６３を有し、たとえば、マイクロプロセッサのMotorola family、あるいは、マイクロプロセッサのＭＩＰＳ familyである。その他の実施形態において、プロセッサ３６３は、コンピューティングデバイス３００の操作を制御するために特別に設計されたハードウェアである。特定の実施形態において、メモリ３６１(たとえば、不揮発性ＲＡＭ、および／あるいは、ＲＯＭ)は、さらに、ＣＰＵ３６２の一部を形成する。しかし、メモリは多くの異なる方式によりシステムに結合することができる。 
【００５２】
インターフェース３６８は、一般に、インターフェースカード(ときに、「ラインカード」とも称される)として提供される。一般に、それらは、ネットワークにより、データパケットの送受信を制御するとともに、時に、コンピューティングデバイス３００とともに用いられるその他の周辺装置をサポートする。インターフェース間で、イーサネット（登録商標）インターフェース、フレームリレーインターフェース、ケーブルインターフェース、ＤＳＬインターフェース、トークンリングインターフェース等を使用することができる。このほか、各種超高速インターフェースは、高速トークンリングインターフェース、ワイヤレスインターフェース、イーサネットインターフェース、ギガビットイーサネットインターフェース、ＡＴＭインターフェース、ＨＳＳＩインターフェース、ＰＯＳインターフェース、ＦＤＤＩインターフェース等を使用することができる。一般に、これらのインターフェースは、適切な媒体と通信する適切なポートを有する。いくつかの実施形態において、インターフェースは、さらに、独立したプロセッサ、および、揮発性ＲＡＭを有する。独立したプロセッサは、パケット切り換え、媒体制御と管理として、このような通信集中タスクを制御することができる。通信集中タスク用に別々のプロセッサを提供することにより、これらのインターフェースは、マスターマイクロプロセッサ３６２が、ルーティング計算、ネットワーク診断、セキュリティ機能等を効率的に実行できるようにする。
【００５３】
図３に示されるシステムは、本発明の一つの特定コンピューティングデバイスであるが、それが、本発明の唯一のネットワーク装置構造であることを意味するのではない。たとえば、通信やルーティング計算等を処理する単一プロセッサを有する機構が頻繁に用いられる。さらに、別のタイプのインターフェースと媒体も、ルーターと一緒に用いることができる。 
【００５４】
ネットワークデバイスの構成にかかわらず、一つ以上のメモリ、あるいは、メモリモジュール(メモリ３６１を有する)を採用し、ローミング、ルート最適化、および、ルーティング機能を実行する汎用目的ネットワーク操作とメカニズムのプログラム命令を保存するように構成される。プログラム命令は、オペレーティングシステム、および／あるいは、一つ以上のアプリケーションの操作を制御することができる。一つのメモリ、あるいは、複数のメモリは、モビリティバインディング、登録、および、関連表等の表を保存するように構成することができる。
【００５５】
図４と図５は例のシステムの実施形態を示す。本発明を実施するとき、当業者なら、さらに適切な実施形態が理解できる。当業者は、その他のシステムの実施形態も可能であることも理解できる。
【００５６】
図４は、システムバスコンピューティングシステム機構４００を示す図で、システムの部品は、バス４０２を用いて互いに電気通信する。システム４００は、処理ユニット(ＣＰＵまたはプロセッサ)４３０、および、システムメモリ４０４、たとえば、リードオンリメモリ(ＲＯＭ)４０６、および、ランダムアクセスメモリ(ＲＡＭ)４０８を含む各種システムコンポーネントを、プロセッサ４３０に結合するシステムバス４０２を有する。システム４００は、直接接続、近接して接続、または、プロセッサ４３０の一部として統合される高速メモリのキャッシュを有する。システム４００は、メモリ４０４、および／または、ストレージデバイス４１２から、キャッシュ４２８に データを複製して、プロセッサ４３０により素早くアクセスされる。このような方式で、キャッシュは、パフォーマンスブーストを提供し、データを待つ間のプロセッサ４３０の遅延を防止する。これら、およびその他のモジュールは、プロセッサ４３０を制御する、あるいは、制御するように設定されて各種動作を実行する。別のシステムメモリ４０４も同様に使用することができる。メモリ４０４は、異なるパフォーマンス特性を有する複数の異なるタイプのメモリを有する。プロセッサ４３０は、任意の汎用目的プロセッサ、および、ハードウェアモジュール、あるいは、ソフトウェアモジュール、たとえば、ストレージデバイス４１２中に保存される第一モジュール４１４、第二モジュール４１６、および、第三モジュール４１８を有し、プロセッサ４３０、および、特殊用途プロセッサを制御し、ソフトウェア指令は、実際のプロセッサ設計に組み込まれる。プロセッサ４３０は、実質上、完全に独立したコンピューティングシステムであり、複数のコア、またはプロセッサ、バス、メモリコントローラ、キャッシュ等を含む。マルチコアプロセッサは対称または非対称である。
【００５７】
ユーザーがコンピューティングデバイス４００と相互作用できるようにするため、入力デバイス４２０は、たとえば、スピーチのマイクロフォン、ジェスチャーやグラフィカル入力のタッチスクリーン、キーボード、マウス、動き入力、スピーチ等を表す。出力デバイス４２２は、従来の技術で知られる一つ、または、それ以上の数量の出力メカニズムである。ある状況下で、マルチモーダルシステムは、ユーザーが、システム４００と通信する複数のタイプの入力を提供できるようにする。通信インターフェース４２４は、通常、ユーザー入力とシステム出力を統治、および、管理することができる。任意の特定のハードウェア配置における制限がなく、よって、ハードウェアやファームウェアが開発されるとき、ここでの基本的特徴は、容易に置換されて、ハードウェア、または、ファームウェア配置を改善することができる。 
【００５８】
ストレージデバイス４１２は不揮発性メモリであり、且つ、ハードディスク、または、その他のタイプのコンピュータ読み取り可能媒体であり、コンピュータ読み取り可能媒体は、コンピュータ、たとえば、磁気カセット、フラッシュメモリカード、固体メモリ装置、デジタル多用途ディスク、カートリッジ、ランダムアクセスメモリ(ＲＡＭ)４０８、読み取り専用メモリ(ＲＯＭ)４０６、および、それらの混合によりアクセス可能なデータデータを保存する。
【００５９】
ストレージデバイス４１２は、ソフトウェアモジュール４１４、４１６、４１８を有して、プロセッサ４３０を制御する。その他のハードウェア、または、ソフトウェアモジュールも含まれる。ストレージデバイス４１２は、システムバス４０２に接続される。一態様において、特定の機能を実行するハードウェアモジュールは、必要なハードウェアコンポーネント、たとえば、プロセッサ４３０、バス４０２、ディスプレイ４３６等と接続するコンピュータ読み取り可能媒体中に保存されるソフトウェアコンポーネントを有して、機能を実行する。  
【００６０】
コントローラ４１０は、システム４００上の専門のマイクロコントローラ、または、プロセッサ、たとえば、ＢＭＣ(基板管理コントローラ)である。一部の例では、コントローラ４１０は、インテリジェントプラットフォーム管理インターフェイス(ＩＰＭＩ)の一部である。さらに、一部の例では、コントローラ４１０は、システム４００のマザーボード、または、メイン回路板に組み込まれる。コントローラ４１０は、システム管理ソフトウェアとプラットフォームハードウェア間のインターフェースを管理することができる。コントローラ４１０は、また、各種システムデバイス、および、部品(内部、および／または、外部)、たとえば、コントローラ、または、周辺装置と通信し、以下で更に記述する。
【００６１】
コントローラ４１０は、通知、警告、および／または、事象に特定の対応を生成するとともに、遠隔装置、または、部品と通信(たとえば、電子メールメッセージ、ネットワークメッセージ等)して、自動ハードウェア障害回復工程等の指令や命令を生成する。システム管理者は、コントローラ４１０と遠隔通信して、特定のハードウェア障害回復工程、または、操作を初期化、または、実行し、以下で更に記述する。
【００６２】
システム４００上の異なるタイプのセンサー(たとえば、センサー４２６)は、コントローラ４１０に、パラメータ、たとえば、冷却ファン速度、電力状態、操作システム(ＯＳ)状態、ハードウェア状態等を報告することができる。コントローラ４１０は、さらに、システムイベントログコントローラ、および／または、ストレージを有して、コントローラ４１０により受信される事象、警告、および、通知を管理、および、保存する。たとえば、コントローラ４１０、または、システムイベントログコントローラは、一つ以上の装置、および、部品から、警告、または、通知を保存するとともに、警告、または、通知をシステムイベントログストレージコンポーにネント中に保存する。 
【００６３】
フラッシュメモリ４３２は、ストレージ、および／または、データ転送に用いられるシステム４００により用いられる電子不揮発性コンピュータストレージ媒体、または、チップである。フラッシュメモリ４３２は、電気的に消去、および／または、再プログラム化される。フラッシュメモリ４３２は、たとえば、消去可能ＰＲＯＭ(ＥＰＲＯＭ)、電気的に消去可能ＰＲＯＭ(ＥＥＰＲＯＭ)、ＲＯＭ、ＮＶＲＡＭ、または、相補型ＭＯＳ(ＣＭＯＳ)を有する。フラッシュメモリ４３２は、システム４００が起動するとき、システム４００により実行されるファームウェア４３４、および、ファームウェア４３４に指定される一組の設定を保存する。フラッシュメモリ４３２は、さらに、ファームウェア４３４により用いられる配置を保存することができる。 
【００６４】
ファームウェア４３４は、ベーシックインプット／アウトプットシステム(ＢＩＯＳ)、または、その後継、または、等価な部品、たとえば、エクステンシブルファームウェアインターフェース(ＥＦＩ)、または、ユニファイドエクステンシブルファームウェアインタフェース(ＵＥＦＩ)を有する。システム４００が起動されるたびに、ファームウェア４３４は、シーケンスプログラムとしてロード、および、実行される。ファームウェア１３４は、一組の配置に基づいて、システム４００中に存在するハードウェアを識別、初期化、並びに、テストする。ファームウェア４３４は、システム４００上で、セルフテスト、たとえば、パワーオンセルフテスト(ＰＯＳＴ)を実行する。このセルフテストは、各種ハードウェアコンポーネント(たとえば、ハードディスクドライブ、光学読み取り装置、冷却装置、メモリモジュール、拡張カード等)の機能性をテストする。ファームウェア４３４は、メモリ４０４、ＲＯＭ４０６、ＲＡＭ４０８、および／または、ストレージデバイス４１２中の一領域をアドレス、および、割り当てて、操作システム(ＯＳ)を保存する。ファームウェア４３４は、ブートローダー、および／または、ＯＳをロードするとともに、システム４００の制御権をＯＳに与える。
【００６５】
システム４００のファームウェア１３４は、どのように、ファームウェア４３４が、システム４００中で、各種ハードウェアコンポーネントを制御するかを定義するファームウェア配置を有する。ファームウェア配置は、システム内の各種ハードウェアコンポーネントが起動される順番を判断する。ファームウェア４３４は、各種異なるパラメータの設定を許可するインターフェース(たとえば、ＵＥＦＩ)を提供し、これは、ファームウェアデフォルト設定のパラメータと異なる。たとえば、ユーザー(たとえば、システム管理者)は、ファームウェア４３４を用いて、クロック、および、バス速度を指定し、どの周辺設備をシステム４００に取り付けるか指定し、監視の状態(たとえば、ファン速度、および、ＣＰＵ温度制限)を指定し、システム４００のパフォーマンス全体、および、電力使用量に影響する多種のその他のパラメータを指定する。
【００６６】
ファームウェア４３４は、フラッシュメモリ４３２中に保存されるように説明されているが、当業者なら理解できるように、ファームウェア４３４は、その他のメモリ、部品、たとえば、メモリ４０４、または、ＲＯＭ４０６中に保存することができる。しかし、示されるフラッシュメモリ４３２中に保存されるファームウェア４３４は説明の目的であり、これに限定しない。
【００６７】
システム４００は一つ以上のセンサー４２６を有する。一つ以上のセンサー４２６は、たとえば、一つ以上の温度センサー、サーマルセンサー、酸素センサー、化学センサー、ノイズセンサー、ヒートセンサー、電流センサー、電圧検出器、気流センサー、流量センサー、赤外線放射温度計、熱流束センサー、温度計、高温計等を有する。一つ以上のセンサー４２６は、たとえば、バス４０２により、プロセッサ、キャッシュ４２８、フラッシュメモリ４３２、通信インターフェース４２４、メモリ４０４、ＲＯＭ４０６、ＲＡＭ４０８、コントローラ４１０、および、ストレージデバイス４１２と通信する。一つ以上のセンサー４２６は、また、一つ以上の異なる手段、たとえば、アイスクエアドシー(Ｉ２Ｃ)、汎用並列出力(ＧＰＯ)等により、システム内のその他の部品と通信する。  
【００６８】
図５は、記述方法、または、操作を実行するチップセット機構を有し、グラフィカルユーザーインターフェース(ＧＵＩ)を生成、ならびに、表示するのに用いられるコンピュータシステム５００を示す図である。コンピュータシステム５００は、コンピュータハードウェア、ソフトウェア、および、ファームウェアを有し、本発明の技術を実行する。システム５００は、プロセッサ５１０を有し、任意の数量の物理的、および／または、論理的に異なるリソースを表し、ソフトウェア、ファームウェア、および、識別された計算を実行するハードウェアを実行することができる。プロセッサ５１０は、プロセッサ５１０からの入出力を制御することができるチップセット５０２と通信する。この例において、チップセット５０２は、情報を出力デバイス５１４、たとえば、ディスプレイに出力するとともに、ストレージデバイス５１６(磁気媒体、固体媒体を有する)と情報を読み書きする。チップセット５０２も、ＲＡＭ５１８とデータをやり取りする。各種ユーザーインターフェース装置５０６と相互作用するブリッジ５０４が提供されて、チップセット５０２と相互作用する。このようなユーザーインターフェース装置５０６は、キーボード、マイクロフォン、タッチ検出、および、処理回路、ポインティングデバイス(マウス等)を有する。一般に、システム５００への入力は、任意の各種ソース、機器生成、および／または、使用者の生成による入力である。  
【００６９】
チップセット５０２も、異なる物理インターフェースを有する一つ以上の通信インターフェース５０８と相互作用する。このような通信インターフェースは、有線、および、無線のローカルエリアネットワーク、広域帯域幅ネットワーク、および、パーソナルエリアネットワークのインターフェースを有する。本発明におけるＧＵＩを生成、表示、および、使用する方法のいくつかの応用は、物理インターフェースにより、または、ストレージデバイス５１６、または、５１８中に保存されるデータを分析するプロセッサ５１０によって、機器自身により生成された順序付けられたデータセットを受信する工程を有する。さらに、機器は、ユーザーインターフェース装置５０６により、ユーザーからの入力を受信するとともに、適当な機能を実行し、たとえば、プロセッサ５１０を用いて、これらの入力を解釈することによりブラウズ機能を実行する。
【００７０】
さらに、チップセット５０２は、電源が起動するとき、コンピュータシステム５００により実行されるファームウェア５１２と通信することができる。ファームウェア５１２は、一組のファームウェア配置に基づいて、コンピュータシステム５００中に存在するハードウェアを認識、初期化、および、テストすることができる。ファームウェア５１２は、システム５００で、セルフテスト、たとえば、ＰＯＳＴを実行する。セルフテストは、各種ハードウェアコンポーネント５０２〜５１０の機能をテストすることができる。ファームウェア５１２は、メモリ５１８中の一領域をアドレス、および、割り当てて、ＯＳを保存する。ファームウェア５１２は、ブートローダー、および／または、ＯＳをロードするともに、システム５００の制御権をＯＳに与える。一部の例では、ファームウェア５１２は、ハードウェアコンポーネント５０２〜５１０、および、５１４〜５１８と通信する。ここで、ファームウェア５１２は、チップセット５０２、および／または、一つ以上のその他の部品により、ハードウェアコンポーネント５０２〜５１０、および、５１４〜５１８と通信する。一部の例では、ファームウェア５１２は、ハードウェアコンポーネント５０２〜５１０、および、５１４〜５１８と直接通信することができる。
【００７１】
理解できることは、例示的システム３００、４００、および、５００は、二個以上のプロセッサ(たとえば、３６３、４３０、５１０)を有する、または、ネットワークにより接続されるコンピューティング装置の一群、または、クラスタであり、良い処理能力を提供する。
【００７２】
説明をわかりやすくするため、ある実施形態において、本発明の技術は、独立した機能ブロックを含み、機能ブロックは、装置、装置の部品、ソフトウェア、または、ハードウェアとソフトウェアの組み合わせで具体化される方法中の工程やルーティンを有する。  
【００７３】
いくつかの実施形態において、コンピュータ可読ストレージデバイス、媒体、および、メモリは、ビットストリーム等を含むケーブルや無線信号を有する。しかし、言及されるとき、持続性コンピュータ読み取り可能ストレージ媒体は、エネルギー、キャリア信号、電磁波、および、信号自身等の媒体を明確に排除する。
【００７４】
上記の例における方法は、コンピュータ実行可能命令を用いて実施され、コンピュータ実行可能命令は、コンピュータ読み取り可能媒体から保存される、または、利用可能である。このような指令は、たとえば、指令、および、データは、汎用目的コンピュータ、特殊用途コンピュータ、または、特殊用途処理装置を配置して、ある機能、または、機能の群を実行する。用いられるコンピュータリソースの一部は、ネットワークによりアクセス可能である。コンピュータ実行可能命令は、たとえば、バイナリー、中間フォーマット指令、たとえば、アセンブリ言語、ファームウェア、または、ソースコードである。コンピュータ読み取り可能媒体の例は、指令、使用した情報、および／または、方法の期間中に生成された情報の保存に用いられ、コンピュータ読み取り可能媒体は、記述される例に従って、磁気、または、光学ディスク、フラッシュメモリ、ＵＳＢデバイスを有し、磁気、または、光学ディスク、フラッシュメモリ、ＵＳＢデバイスは、不揮発性メモリ、ネットワークストレージデバイス等に提供される。 
【００７５】
これらの開示における方法を実施する装置は、ハードウェア、ファームウェア、および／または、ソフトウェアを有し、任意の各種フォームファクタを利用する。このようなフォームファクタの一般的な例は、ラップトップ、スマートフォン、スモールフォームファクタパーソナルコンピュータ、ＰＤＡ、ラックマウント型装置、スタンドアロン装置等を有する。ここで記述される機能性は、さらに、周辺装置、または、アドインカードで具体化される。さらなる例として、このような機能性は、単一装置で実行される異なるチップ、または、異なるプロセス間において、回路基板上で実行されてもよい。 
【００７６】
このような指令を伝達する指令、媒体、それらを実行するコンピューティングリソース、および、このようなコンピューティングリソースをサポートするその他の構造は、ここで記述される機能を提供する手段である。 
【００７７】
本発明の各種実施形態は、新鮮な空気を、システムのダウンストリームコンポーネントに提供するシステム、および、方法を提供する。特定の実施形態は、どのように、任意の操作を異なる指令で実現するかを示しているが、その他の実施形態は、任意の操作を異なる指令に組み込んでいる。説明をはっきりとさせるため、本発明のいくつかの実施形態において、デバイス、デバイスコンポーネント、ソフトウェア、あるいは、ハードウェアとソフトウェアの組み合わせで具体化される方法中の工程、あるいは、ルーティンを有する機能ブロックを有するものとして示される。 
【００７８】
各種実施形態は、さらに、多様な操作環境中で実現され、いくつかの実施形態において、一つ以上のサーバコンピュータ、ユーザーコンピュータ、あるいは、任意の数量のアプリケーションを操作するのに用いられるコンピューティングデバイスを有する。ユーザー、あるいは、クライアントデバイスは、任意の数量の汎用目的のパソコン、たとえば、標準のオペレーティングシステムを実行するデスクトップ、あるいは、ラップトップコンピュータ、および、モバイルソフトウェアを実行するとともに、いくつかのネットワーク、および、メッセージプロトコルをサポートすることができるセルラー、ワイヤレス、および、ハンドヘルド装置を含むことができる。このようなシステムは、さらに、任意の各種商用のオペレーティングシステムおよびその他の既知のアプリケーション(開発、および、データベース管理)を実行する、いくつかのワークステーションを有する。これらの装置は、その他の電子装置、たとえば、ダミー端子、シンクライアント、ゲームシステム、および、ネットワークにより通信できるその他の装置を有する。
【００７９】
本発明のいくつかの実施態様、あるいは、一部は、ハードウェア中で実現され、本発明で記述される方法は、以下の技術の任意の一つ、あるいは、その結合により実現される。 ロジック機能をデータ信号に実行するロジックゲートを有する離散ロジック回路、適当な組み合わせのロジックゲート、プログラム可能ハードウェア、たとえば、プログラマブルゲートアレイ(ＰＧＡ)、フィールドプログラマブルゲートアレイ(ＦＰＧＡ)等を有する特定用途向け集積回路(ＡＳＩＣ)
【００８０】
大多数の実施形態は、当業者が熟知する少なくとも一つのネットワークを利用して、任意の各種商用のプロトコル、たとえば、TCP/IP, OSI, FTP, UPnP, NFS, CIFS, AppleTalk 等通信を用いて、サポートする。ネットワークは、たとえば、ローカルエリアネットワーク、広域ネットワーク、仮想プライベートネットワーク、インターネット、イントラネット、エクストラネット、公衆交換電話網、赤外線ネットワーク、無線ネットワーク、および、それらの任意の組み合わせである。
【００８１】
上記の例における方法は、コンピュータ実行可能命令を用いて実施され、コンピュータ実行可能命令は、コンピュータ読み取り可能媒体に保存され、または、利用可能である。このような命令は、たとえば、汎用目的コンピュータ、特殊用途コンピュータ、または、特殊用途処理装置を構成して、ある機能、または、機能の群を実行する命令およびデータを有することができる。用いられるコンピュータリソースの一部は、ネットワークによりアクセス可能である。コンピュータ実行可能命令は、たとえば、バイナリー、中間フォーマット命令、たとえば、アセンブリ言語、ファームウェア、または、ソースコードである。命令、使用した情報、および／または、記述例に従った方法中に生成された情報の保存に用いることができるコンピュータ読み取り可能媒体の例は、磁気、または、光学ディスク、フラッシュメモリ、不揮発性メモリを備えるＵＳＢデバイス、ネットワークストレージデバイス等を含む。コンピュータ読み取り可能媒体の例は、指令、使用した情報、および／または、方法の期間中に生成された情報の保存に用いられ、コンピュータ読み取り可能媒体は、記述される例に従って、磁気、または、光学ディスク、フラッシュメモリ、ＵＳＢデバイスを有し、磁気、または、光学ディスク、フラッシュメモリ、ＵＳＢデバイスは、不揮発性メモリ、ネットワークストレージデバイス等に提供される。
【００８２】
これらの開示における方法を実施する装置は、ハードウェア、ファームウェア、および／または、ソフトウェアを有し、任意の各種フォームファクタを利用する。このようなフォームファクタの一般的な例は、ラップトップ、スマートフォン、スモールフォームファクタパーソナルコンピュータ、ＰＤＡ、ラックマウント型装置、スタンドアロン装置等を有する。ここで記述される機能性は、さらに、周辺装置、または、アドインカードで具体化される。さらなる例として、このような機能性は、異なるチップ間の回路基板上、または、単一の装置で実行される異なるプロセス間で実行することができる。   
【００８３】
ウェブサーバを用いた実施形態において、ウェブサーバは、ＨＴＴＰサーバ、ＦＴＰサーバ、ＣＧＩサーバ、データサーバ、Ｊａｖａ（登録商標）サーバ、および、ビジネスアプリケーションサーバを有する任意の種類のサーバ、あるいは、中層アプリケーションを実行する。サーバは、たとえば、任意のプログラミング言語、たとえば、Ｊａｖａ（登録商標）、Ｃ，Ｃ＃、または、Ｃ＋＋、あるいは、任意のスクリプト言語、たとえば、Perl、Python、あるいは、TCL、および、それらの組み合わせで書き込まれる一つ以上のスクリプト、あるいは、プログラムとして実行される一つ以上のウェブアプリケーションを実行することにより、ユーザー装置からの要求に応答して、プログラムやスクリプトを実行することができる。サーバは、さらに、データベースサーバを有し、開放市場による商用のソフトウェアに限定されない。
【００８４】
サーバシステムは、前述の様々なデータ保存、および、その他のメモリ、および、ストレージ媒体を有する。これらは、様々な位置に存在し、たとえば、ストレージ媒体が一つ以上のコンピュータにローカル接続される(および／あるいは、存在する)、あるいは、ネットワークにより、任意の、あるいは、全てのコンピュータから遠隔で連結される。一組の特定の実施形態において、情報は、当業者により熟知されるストレージエリアネットワーク(ＳＡＮ)中に存在する。同様に、コンピュータに起因する機能を実行するのに必要とされる任意のファイル、サーバ、あるいは、その他のネットワーク装置は、必要に応じて、局部的、および／あるいは、遠隔で保存される。システムは、コンピュータ制御の装置を有し、このような装置は、それぞれ、一つのバスにより電気的に結合されるハードウェアコンポーネントを有し、コンポーネントは、たとえば、少なくとも一つの中央処理ユニット(ＣＰＵ)、少なくとも一つの入力装置(たとえば、マウス、キーボード、コントローラ、タッチセンサーディスプレイコンポーネント、あるいは、キーパッド)、および、少なくとも一つの出力装置(たとえば、ディスプレイ装置、プリンター、あるいは、スピーカー)を有する。このようなシステムは、さらに、一つ以上のストレージデバイス、たとえば、ディスクドライブ、光学ストレージデバイス、および、ソリッドステートストレージデバイス(たとえば、ランダムアクセスメモリ(ＲＡＭ)、あるいは、リードオンリメモリ(ＲＯＭ))、および、除去可能な媒体装置、メモリカード、フラッシュカード等を有する。
【００８５】
このような装置は、さらに、上述のように、コンピュータ可読ストレージ媒体読み取り機、通信装置(たとえば、モデム、ネットワークカード(有線、あるいは、無線)、赤外線コンピューティングデバイス)、および、ワーキングメモリを有する。コンピュータ可読ストレージ媒体読み取り機は、コンピュータ可読ストレージ媒体に接続される、あるいは、コンピュータ可読ストレージ媒体を受け入れ、コンピュータ可読ストレージ媒体は、遠隔、局部、固定、および／あるいは、取り外し可能なストレージデバイス、および、一時的、および／あるいは、更に永久的に、コンピュータ可読情報を含有、保存、送信、および、回収するストレージ媒体を表す。システム、および、各種デバイスは、さらに、一般に、少なくとも一つのワーキングメモリ装置中に位置する複数のソフトウェアアプリケーション、モジュール、サービス、あるいは、その他の素子を有し、その他の素子は、オペレーティングシステム、および、アプリケーションプログラム(たとえば、クライアントアプリケーション、あるいは、ウェブブラウザ)を有する。注意すべきことは、前述の例に基づいて、様々に変化させることができることである。たとえば、カスタマイズされたハードウェアを使用することもできる、および／あるいは、特定素子をハードウェア／ソフトウェア(ポータブルソフトウェア、たとえば、アプレットを含む)、あるいは、両方で実施することができる。さらに、その他のコンピューティングデバイス、たとえば、ネットワーク入／出力装置への接続も使用される。
【００８６】
コード、あるいは、コードの一部を含むストレージ媒体、および、コンピュータ可読媒体は、従来の記述で用いられる任意の適当な媒体、たとえば、ストレージ媒体、および、コンピューティング媒体を有し、揮発性、および、不揮発性、取り外し可能、および、非取り外し可能媒体に限定されず、任意の方法や技術で実現され、情報(たとえば、コンピュータ可読指令、データ構造、プログラムモジュール、あるいは、その他のデータ)を保存、および／あるいは、送信し、ＲＡＭ、ＲＯＭ、ＥＰＲＯＭ、ＥＥＰＲＯＭ、フラッシュメモリ、あるいは、その他のメモリ技術、ＣＤ-ＲＯＭ、デジタル多用途ディスク(ＤＶＤ)、あるいは、その他の光学ストレージ、磁気カセット、磁気テープ、磁気ディスクストレージ、あるいは、その他の磁気ストレージデバイス、あるいは、その他の任意の媒体を有して、必要な情報を保存するのに用いられる、および、システムデバイスによりアクセスされる。ここで提供される技術と教示に基づいて、当業者なら、本発明の各種態様を実施するその他の方法、および／あるいは、方法を理解することができる。
【００８７】
本発明では好ましい実施例を前述の通り開示したが、これらは決して本発明に限定するものではなく、当該技術を熟知する者なら誰でも、本発明の思想を脱しない範囲内で各種の変形を加えることができる。
【符号の説明】
【００８８】
１００Ａ〜１００Ｇ…システム
１０２…ストレージサブシステム
１０３…ハウジング
１１０…コントローラ
１４０…電源
１４１、１４２…電源ユニット
１４５…電源ボタン
１４６…ＳＢロジック
１４８…ストレージデバイス
１５０、１５２…ＩＳＡスロット
１５４…周辺機器相互接続(ＰＣＩ)バス
１６０、１６１…ＰＣＩｅスロット
１６２、１６３…冷却素子
１７０、１７１…ＰＣＩスロット
１７２…キャッシュ
１７４…ストレージサブシステムモジュール
１７６…ＮＢロジック
１８０…メインメモリ
１８１…ベース部分
１８２…インターフェース
１８３…回路板
１８４…コンパートメント
１８５…第二パーティション
１８５１…パーティションダクト
１８５２…第二換気孔
１８６…第一換気孔
１８７…第二側壁
１８７１…第二側壁ダクト
１８８…第一パーティション
１８９…第一側壁
１８９１…第一側壁ダクト
１９０…アダプタカード
１９１…拡張器
１９１１、１９１２、１９２１、１９２２…ストレージデバイス
１９２…拡張器
２００…方法
２０２〜２１０…工程
３００…コンピューティングデバイス
３６１…メモリ
３６２…ＣＰＵ
３６３…プロセッサ
３６８…インターフェース
４００…システム
４０２…バス
４０４…メモリ
４０６…リードオンリ
４０８…ランダムアクセスメモリ
４１０…コントローラ
４１２…ストレージデバイス
４１４…第一モジュール
４１６…第二モジュール
４１８…第三モジュール
４２０…入力デバイス
４２２…出力デバイス
４２４…通信インターフェース
４２６…センサー
４２８…キャッシュ
４３０…プロセッサ
４３２…フラッシュメモリ
４３４…ファームウェア
４３６…ディスプレイ
５００…コンピュータシステム
５０２…チップセット
５０４…ブリッジ
５０６…ユーザーインターフェース装置
５０８…通信インターフェース
５１０…プロセッサ
５１４…出力デバイス
５１６…ストレージデバイス
５１８…ＲＡＭ
【図１Ａ】
0006462034.tif 000002
【図１Ｂ】
0006462034.tif 000003
【図１Ｃ】
0006462034.tif 000004
【図１Ｄ】
0006462034.tif 000005
【図１Ｅ】
0006462034.tif 000006
【図１Ｆ】
0006462034.tif 000007
【図１Ｇ】
0006462034.tif 000008
【図２】
0006462034.tif 000009
【図３】
0006462034.tif 000010
【図４】
0006462034.tif 000011
【図５】
0006462034.tif 000012